(57)【要約】【課題】軽量かつ高剛性にして、必要な加工を容易に行うことができるフレームを備えた成形機を提供する。【解決手段】型締装置２及び射出装置３を搭載するフレーム１を、底部構造体１１と、当該底部構造体上に組み立てられた直方体構造の上部構造体１２とから構成する。上部構造体１１は、所要の部分に窓孔１２４ａが開設された複数枚の縦板１２４の組み合わせをもって構成する。これに対して、底部構造体１１は、相平行に配置された２本の型鋼からなる主材１１１と、これら２本の主材を連結する複数本の型鋼からなる横桟１１２とをもって全体が枠形に形成する。横桟１１２は、主材１１１の両端部と、上部構造体１２に開設された窓孔１２４ａの両側部分と対向する位置に配置される。【選択図】図２
2014061655.tif 000002
【特許請求の範囲】
【請求項１】
金型装置を開閉駆動する型締装置と、成形材料を前記金型装置に形成されたキャビティ内に射出・充填する射出装置と、これらの各装置を所定の配列で搭載するフレームとを備えた成形機において、
前記フレームは、底部構造体と、当該底部構造体上に組み立てられた直方体構造の上部構造体とからなり、
前記上部構造体は、所要の部分に窓孔が開設された複数枚の板材の組み合わせをもって構成され、
前記底部構造体は、相平行に配置された２本の型鋼からなる主材と、これら２本の主材を連結する複数本の型鋼からなる横桟とをもって全体が枠形に形成されていて、前記横桟は、前記主材の両端部と、前記上部構造体に開設された窓孔の両側部分と対向する位置に配置されていることを特徴とする成形機。
【請求項２】
前記主材の所要部分に、防振ゴムの取付孔を開設したことを特徴とする請求項１に記載の成形機。
【請求項３】
前記上部構造体は、前記底部構造体の上面を覆う底板と、前記型締装置及び前記射出装置を搭載する天板と、これら底板と天板とを連結する縦板とをもって構成されていることを特徴とする請求項１及び請求項２のいずれか１項に記載の成形機。
【発明の詳細な説明】
【技術分野】
【０００１】
本発明は、射出成形機及びダイカストマシン等の成形機に係り、特に、金型装置、型締装置、射出装置及びエジェクト装置等を搭載するフレームの構成に関する。
【背景技術】
【０００２】
射出成形機は、固定側金型及び可動側金型からなる金型装置、金型装置を開閉駆動する型締装置、可塑化された樹脂材料を金型装置に形成されたキャビティ内に射出・充填する射出装置及び成形品を金型装置から取り出すエジェクト装置等から構成されており、これらの各装置は、フレームと呼ばれる枠型の構造物上に搭載されている。運転時に発生する振動を抑制するため、並びに、型締時及び射出時における前記各装置の位置ずれを防止して高品質の成形品を製造するため、射出成形機用フレームには、高剛性であることが強く求められる。なお、ダイカストマシン用のフレームについても事情は全く同じである。
【０００３】
本願出願人は先に、射出成形機用のフレームとして、相平行に配設された縦部材と、縦部材の上面に固定されたベース用平板部材と、縦部材の底面に固定された底部用平板部材と、これら各部材の少なくとも２つに固着された枠構造の補強部材とからなるものを提案した（特許文献１の図１参照。）。このフレームは、縦部材がフレーム高さとほぼ等しい高さ寸法を有するＩ型鋼、Ｃ型鋼又はＨ型鋼をもって形成されている。
【０００４】
本構成のフレームは、縦部材とベース用平板部材と底部用平板部材とからなる直方体構造を有し、搭載される各装置の全重量を縦部材にて担持する構成であるので、縦部材の長手方向と射出成形機の主たる作動方向とが一致し、極めてシンプルな構造で高い剛性を有する。また、内部空間を広くシンプルな形にできるので、電装品、製品搬送装置、油圧装置及び油圧配管などの収納を容易なものにすることができる。さらに、縦部材間に枠構造の補強部材を配設したので、補強部材があたかも竹の節のような働きをなし、シンプルな補強でフレームの強度を格段に向上させることができる。
【先行技術文献】
【特許文献】
【０００５】
【特許文献１】特開２０００−０８４９７９号公報
【発明の概要】
【発明が解決しようとする課題】
【０００６】
しかしながら、特許文献１に記載のフレームは、縦部材が、高さ寸法の大きな大型の型鋼をもって形成されているので、大重量で、フレームの組立や搬送が困難であるとの指摘があった。また、射出成形機用のフレームの前面及び背面には電線類や配管類を通すための貫通孔を設ける必要があり、かつ底面には防振ゴムを取り付けるための取付孔を設ける必要があるが、特許文献１に記載の高剛性フレームは、縦部材が大型かつ大重量の型鋼をもって形成されているので、これらの加工を行うことが困難であるとの指摘もあった。
【０００７】
本発明は、このような従来技術の実情に鑑みてなされたものであり、その目的は、軽量かつ高剛性にして、必要な加工を容易に行うことができるフレームを備えた成形機を提供することにある。
【課題を解決するための手段】
【０００８】
本発明は、上述の課題を解決するため、金型装置を開閉駆動する型締装置と、成形材料を前記金型装置に形成されたキャビティ内に射出・充填する射出装置と、これらの各装置を所定の配列で搭載するフレームとを備えた成形機において、前記フレームは、底部構造体と、当該底部構造体上に組み立てられた直方体構造の上部構造体とからなり、前記上部構造体は、所要の部分に窓孔が開設された複数枚の板材の組み合わせをもって構成され、前記底部構造体は、相平行に配置された２本の型鋼からなる主材と、これら２本の主材を連結する複数本の型鋼からなる横桟とをもって全体が枠形に形成されていて、前記横桟は、前記主材の両端部と、前記上部構造体に開設された窓孔の両側部分と対向する位置に配置されていることを特徴とする。
【０００９】
かかる構成によると、成形機のフレームを、複数本の型鋼を組み合わせることによって枠形に形成された底部構造体と、複数枚の板材を組みわせることによって形成され、底部構造体上に組み立てられた上部構造体とから構成したので、Ｉ型鋼、Ｃ型鋼又はＨ型鋼からなる大型かつ大重量の縦部材を必須の構成要素とする従来のフレームに比べて、その重量を減少することができる。また、前記構成によると、上部構造体を構成する各板材の所要部分に、配線類及び配管類の引き回しや成形機各部のメンテナンスに必要な窓孔を開設するので、大型かつ大重量の縦部材に窓孔を開設する場合に比べて、窓孔の加工を容易なものにすることができる。同様に、前記構成によると、底部構造体を構成する比較的軽量の主材に防振ゴムの取付孔を開設できるので、大型かつ大重量の縦部材に防振ゴムの取付孔を開設する場合に比べて、防振ゴムの取付孔の加工を容易なものにすることができる。さらに、前記構成によると、底部構造体の横桟を上部構造体に開設された窓孔の両側部分と対向する位置に配置するので、窓孔を開設したことによる剛性の低下を横桟にて抑止することができ、全体として高剛性のフレームとすることができる。
【００１０】
また本発明は、前記構成の成形機において、前記主材の所要部分に、防振ゴムの取付孔を開設したことを特徴とする。
【００１１】
かかる構成によると、底部構造体の主材に防振ゴムの取付孔を開設するので、大型かつ大重量の型鋼からなる縦部材に防振ゴムの取付孔を開設する場合に比べて、取付孔の開設作業を容易なものにすることができる。
【００１２】
また本発明は、前記構成の成形機において、前記上部構造体は、前記底部構造体の上面を覆う底板と、前記型締装置及び前記射出装置を搭載する天板と、これら底板と天板とを連結する縦板とをもって構成されていることを特徴とする。
【００１３】
かかる構成によると、上部構造体に底部構造体の上面を覆う底板と、型締装置及び射出装置を搭載する天板とを備えるので、上部構造体ひいてはフレームの剛性を高められると共に、フレーム上への型締装置及び射出装置の搭載を容易なものにすることができる。
【発明の効果】
【００１４】
本発明によると、成形機用のフレームを、底部構造体と、当該底部構造体上に組み立てられた直方体構造の上部構造体とから構成し、上部構造体には所要の部分に窓孔を開設すると共に、底部構造体には上部構造体に開設された窓孔の両側部分と対向する位置に横桟を配置したので、大型かつ大重量の型鋼からなる縦部材を必須の構成要素とする従来のフレームに比べて、所要の剛性を維持しながら重量を減少できると共に、窓孔及び防振ゴム取付孔の加工を容易なものにすることができる。
【図面の簡単な説明】
【００１５】
【図１】実施形態に係る成形機の正面図である。
【図２】実施形態に係るフレームの正面側から見た斜視図である。
【図３】実施形態に係るフレームの背面側から見た斜視図である。
【図４】実施形態に係るフレームの底部構造体側から見た斜視図である。
【図５】実施形態に係る底部構造体の斜視図である。
【図６】実施形態に係る防振ゴムの取付状態を示す要部拡大図である。
【発明を実施するための形態】
【００１６】
以下、本発明に係る成形機の実施形態を、図を参照しながら説明する。なお、以下の実施形態においては、射出成形機を例にとって説明するが、ダイカストマシンについても同様に実施することができる。
【００１７】
図１に示すように、実施形態に係る成形機は、フレーム１と、当該フレーム１上に搭載された型締装置２及び射出装置３を有している。
【００１８】
型締装置２は、所定の間隔を隔てて対向に配置され、それぞれフレーム１上に固定されたテールストック２１及び固定ダイプレート２２と、これらテールストック２１及び固定ダイプレート２２の間に配置され、フレーム１上に摺動自在に取り付けられた可動ダイプレート２３と、両端がテールストック２１と可動ダイプレート２３とに連結され、図示しないモータの回転力によって可動ダイプレート２３を往復駆動する型開閉・型締機構２４とからなる。固定ダイプレート２２には、固定側金型２５が搭載され、可動ダイプレート２３には、可動側金型２６が搭載される。本例の型締装置２においては、型開閉・型締機構２４が、トグルリンク機構２４ａと、図示しないモータの回転力を直進力に変換してトグルリンク機構２４ａに伝達するボールねじ機構２４ｂとから構成されている。なお、固定側金型２５と可動側金型２６とからなる金型装置の近傍には、成形品を金型装置から取り出すためのエジェクト装置（図示省略）が備えられる。
【００１９】
上記の構成において、モータを所定の一方向に回転駆動すると、ボールねじ機構２４ｂのねじ軸が前進して、トグルリンク機構２４ａが伸張し、固定側金型２５と可動側金型２６とが所定の型締力で型締される。これにより、固定側金型２５と可動側金型２６との間に形成された金型キャビティ内への溶融樹脂の射出・充填が可能になる。溶融樹脂の射出・充填後、モータを逆転駆動すると、ボールねじ機構２４ｂのねじ軸が後退してトグルリンク機構２４ａが収縮し、可動側金型２６が固定側金型２５から型開される。これにより、エジェクト装置による成形品の取り出しが可能になる。
【００２０】
射出装置３は、先端に射出ノズル３１が取り付けられた筒型の加熱シリンダ３２と、加熱シリンダ３２の内部に回転可能かつ前後進可能に収納された射出スクリュ３３と、射出スクリュ３３を回転自在に支持する支持部材３４と、射出スクリュ３３の回転駆動及び前後進駆動を行うスクリュ駆動部３５と、原料樹脂を貯えるホッパ３６と、ホッパ３６内に貯えられた原料樹脂を加熱シリンダ３２内に供給するホッパブロック３７とから、主に構成されている。加熱シリンダ３２の外周には、加熱シリンダ３２内に供給された樹脂を加熱するバンドヒータ３８が巻装されている。また、射出ノズル３１は、連続運転時、固定側金型２５に押し付けられている。
【００２１】
加熱シリンダ３２内で射出スクリュ３３を回転駆動すると、それに伴ってホッパ３６内の原料樹脂が加熱シリンダ３２内に導入される。加熱シリンダ３２内に導入された原料樹脂は、射出スクリュ３３の回転駆動に伴って発生する摩擦熱や剪断熱、それにバンドヒータ３８の発熱により溶融され、順次加熱シリンダ３２の先端部に貯えられる。加熱シリンダ３２の先端部に所定量の溶融樹脂が貯えられると、射出スクリュ３３が前進駆動され、加熱シリンダ３２の先端部に貯えられた所定量の溶融樹脂が、金型キャビティ内に射出・充填される。これにより、所定形状の成形品が得られる。
【００２２】
以下、上述の型締装置２、射出装置３、金型装置及びエジェクト装置を搭載するフレーム１の構成を、図２〜図６を用いて説明する。本実施形態に係るフレーム１は、図２〜図４に示すように、底部構造体１１と、当該底部構造体１１上に組み立てられた直方体構造の上部構造体１２とからなる。
【００２３】
底部構造体１１は、図５に示すように、相平行に配置された２本のＨ型鋼からなる主材１１１と、これら２本の主材１１１を連結する複数本（図３の例では、７本）のＣ型鋼からなる横桟１１２とをもって全体が長四角の枠形に形成されている。複数本の横桟１１２のうちの２本は、主材１１１の端部に配置され、他の複数本（図３の例では、５本）の横桟１１２は、上部構造体１２に開設される窓孔の両側部分と対向する位置に配置される。これについては、後に図４を用いてさらに詳細に説明する。これらの各主材１１１と各横桟１１２は、溶接により組み立てられる。また、主材１１１の外側面には、複数本の縦補強片１１３が溶接される。なお、本例においては、主材１１１がＨ型鋼にて形成され、横桟１１２がＣ型鋼をもって形成されているが、本発明の要旨はこれに限定されるものではなく、Ｉ型鋼、Ｃ型鋼又はＨ型鋼などから選択される型鋼を、適宜使用することができる。また、平鋼板を曲げ加工して、Ｃ型などの所要の形状に成形したものを使用することもできる。
【００２４】
主材１１１を構成する２本の形鋼の下片には、図４に示すように、複数個の防振ゴム取付孔１１４が所定の配列で開設されている。主材１１１は、特許文献１に記載の縦部材よりも各段に小型かつ軽量の形鋼にて形成されるので、防振ゴム取付孔１１４の開設作業を容易に行うことができる。なお、防振ゴム取付孔１１４は、図４に示すように、隣接して配置された２つの縦補強片１１３の間に開設される。このようにすると、図６に示すように、縦補強片１１３により補強された高剛性の部分に防振ゴム１１５を設置できるので、大重量のフレーム１を複数個の防振ゴム１１５で支持した場合にも、フレーム１の変形を防止することができる。
【００２５】
防振ゴム１１５は、図６に示すように、円盤状に形成された防振ゴム本体１１５ａと、該防振ゴム本体１１５ａの中心部に一端が固定され、先端が垂直に起立された取付ボルト１１５ｂと、該取付ボルト１１５ｂに螺合されたナット１１５ｃとから成る。主材１１１に対する防振ゴム１１５の取り付けは、図６に示すように、主材１１１の下方より、主材１１１に開設された防振ゴム取付孔１１４内に取付ボルト１１５ｂを挿入し、ナット１１５ｃにて締結することにより行われる。
【００２６】
上部構造体１２は、図２〜図４に示すように、底部構造体１１の上面を覆う底板１２１と、型締装置２及び射出装置３を搭載する天板１２２と、これら各板１２１，１２２の間に配置された複数枚の縦板１２４をもって、直方体構造に形成されている。これらの各板及び各部材は、溶接により組み立てられる。また、底板１２１と底部構造体１１についても溶接により一体に組み立てられる。これにより、上部構造体ひいてはフレームの剛性を高めることができる。
【００２７】
上部構造体１２の前面側には、複数枚の縦板１２４と複数枚の横板１２３の組み合わせをもって、複数段の小物入れ１２３ａと、成形機全体を制御する制御装置の収納部１２３ｂと、成形機に電力を供給する制御盤の収納部１２３ｃとが形成されている。また、上部構造体１２の背面側には、複数枚の縦板１２４の組み合わせをもって、アンプ等の収納部１２３ｄが形成されている。各縦板１２４の間には、各種の機器類を収納するためのスペースが形成されると共に、各縦板１２４の所要の部分には、配線類及び配管類の引き回しや成形機各部のメンテナンスに必要な窓孔１２４ａが開設される。このように、縦板１２４に窓孔１２４ａを開設することにより、窓孔１２４ａの開設作業を容易なものにすることができる。上述した底部構造体１１の横桟１１２は、図４に示すように、縦板１２４の所要の部分に開設された窓孔１２４ａの両側部分と対向する位置に配置される。これにより、窓孔１２４ａを開設したことによる剛性の低下を横桟１１２にて抑止できるので、全体として高剛性のフレームとすることができる。
【００２８】
天板１２２には、図２及び図３に示すように、型締装置２の搭載側にトグルリンク機構２４ａから漏れたグリスを下方に配置された図示しないグリス受けに落とすための４個の透孔１２２ａが開設されると共に、その隣接部分には、金型装置からの成形品の取り出しを行うための大口径の透孔１２２ｂが開設されている。これに対して、射出装置３の搭載側には、射出装置を固定するための複数枚の座板１２２ｃが所定の配列で設けられている。さらに、天板１２２の中央部分には、チェーンブロック等の懸垂装置を係合するためのフック１２２ｄが固定されている。
【００２９】
なお、前記実施形態においては、上部構造体１２の一部に枠型部材１２３を備えたが、縦板１２４の組み合わせのみをもって上部構造体１２を構成することもできる。
【符号の説明】
【００３０】
１  フレーム
２  型締装置
３  射出装置
１１  底部構造体
１１１  主材
１１２  横桟
１１３  縦補強片
１１４  防振ゴム取付孔
１１５  防振ゴム
１２  上部構造体
１２１  底板
１２２  天板
１２２ａ  透孔
１２２ｂ  透孔
１２２ｃ  座板
１２２ｄ  フック
１２３  枠型部材
１２３ａ  小物入れ
１２３ｂ  制御装置の収納部
１２３ｃ  制御盤の収納部
１２４  縦板
１２４ａ  窓孔
【図１】
2014061655.tif 000003
【図２】
2014061655.tif 000004
【図３】
2014061655.tif 000005
【図４】
2014061655.tif 000006
【図５】
2014061655.tif 000007
【図６】
2014061655.tif 000008